(57)【要約】【課題】  構成部品を再使用することによる故障が発生し難くする。【解決手段】  再使用される構成部品１ｂと、構成部品１ｂに設けられ、該構成部品１ｂの再使用毎に更新される構成部品１ｂの再使用履歴情報を記録するＩＣタグ１ａとを備える。【選択図】図１
2006034759.tif 000002
【特許請求の範囲】
【請求項１】
再使用される構成部品と、
前記構成部品に設けられ、該構成部品の再使用毎に更新される構成部品の再使用履歴情報を記録する情報記憶手段と
を有することを特徴とする遊技機。
【請求項２】
前記再使用履歴情報は、再使用の回数および使用時間の少なくとも一方を含む
ことを特徴とする請求項１に記載の遊技機。
【請求項３】
前記情報記憶手段は、
前記構成部品の再使用可能な限界を示す再使用限界情報を記録している
ことを特徴とする請求項１または２に記載の遊技機。
【請求項４】
遊技機に再使用される構成部品と、
前記構成部品に設けられ、固有の識別番号を読み出し可能な識別番号出力手段と、
前記識別番号出力手段の識別番号と、前記識別番号出力手段が設けられた構成部品の再使用の履歴を示す再使用履歴情報とを記録するデータセンタと、
前記識別番号出力手段と前記データセンタとにそれぞれ通信可能であると共に、操作者に前記構成部品の管理情報を報知する管理装置とを有しており、
前記管理装置は、前記識別番号出力手段から識別番号を読み取り、該識別番号に対応した再使用履歴情報を前記データセンタから取得して前記管理情報に含める再使用履歴情報取得手段と、
前記データセンタに記憶された再使用履歴情報を、前記構成部品の再使用毎に更新する更新手段と
を有することを特徴とする遊技機管理システム。
【請求項５】
前記データセンタおよび前記管理装置の少なくとも一方に備えられ、前記再使用履歴情報に基づいて前記構成部品の再使用が可能であるか否かを判定し、判定結果を前記管理情報に含める再使用判定手段を有することを特徴とする請求項４に記載の遊技機管理システム。
【発明の詳細な説明】
【技術分野】
【０００１】
本発明は、構成部品が再使用可能なパチスロ機やパチンコ機、その他の遊技機及び遊技機管理システムに関するものである。
【背景技術】
【０００２】
遊技機、例えばパチスロ機は、遊技場から業者に引き取られると、分別分解された後、廃棄処理がなされているが、資源の有効利用や環境に対する配慮から機器製品をリサイクルして再利用することが推進されている。これら機器製品をリサイクルするためには、機器製品の過去のリサイクル状況を管理し、機器製品がリサイクル可能かどうかを調べる必要があり、これまでに、機器製品をリサイクルするために、特許文献１のような機器製品を管理するシステムが提案されている。
【０００３】
【特許文献１】特開２００４―３０００８号公報
【発明の開示】
【発明が解決しようとする課題】
【０００４】
特許文献１に開示されている管理システムは、機器製品と通信することで、機器製品の製品情報を取得し、その製品情報に基づいて、機器製品の履歴情報、例えば使用累積時間などを取得する。そして、履歴情報に基づいて、その機器製品がリサイクル可能かどうかを判断している。しかしながら、機器製品は、たとえ、使用累積時間などの履歴情報に基づく判断で、リサイクル可能であったとしても、幾度となく再使用を繰り返し、長期間に渡って使用しつづけたりすることによって不具合が発生する場合があり、そのような機器製品を組み込んだ遊技機は、故障が発生する確率が高くなってしまうおそれがある。
【０００５】
そこで、本発明の目的は、構成部品を再使用することによる故障が発生し難い遊技機および遊技機管理システムを提供することである。
【課題を解決するための手段】
【０００６】
本発明の遊技機は、再使用される構成部品と、構成部品に設けられ、該構成部品の再使用毎に更新される構成部品の再使用履歴情報を記録する情報記憶手段とを有する。
【０００７】
この構成によると、構成部品を再使用するときに、この構成部品に設けられた情報記録手段の再使用履歴情報を読み出すことによって、構成部品の再使用の頻度を確認することができる。再使用の頻度が高い構成部品は、故障の発生確率が高いため、再使用の頻度が高い構成部品を排除しながら、再使用の構成部品を用いて遊技機を組み上げることができる。これにより、遊技機を故障し難いものにすることができる場合がある。
【０００８】
また、本発明の再使用履歴情報は、再使用の回数および使用時間の少なくとも一方を含んでいることが好ましい。
【０００９】
この構成によると、構成部品の故障の発生確率と、再使用の回数や使用時間とが一般的に比例関係にあるため、これら再使用の回数や使用時間を確認することによって、構成部品の故障の起こり易さを容易に判断することができる場合がある。
【００１０】
さらに、本発明の情報記憶手段は、構成部品の再使用可能な限界を示す再使用限界情報を記録していてもよい。
【００１１】
この構成によると、構成部品の種類や製造ロット等により各構成部品の再使用可能な寿命が予測される場合、この再使用可能な寿命に対応した再使用限界情報を情報記録手段に記録しておくことによって、再使用するときに、情報記録手段から再使用履歴情報と再使用限界情報とを読み出すだけで、再使用が可能な否かを正確に把握できる場合がある。
【００１２】
また、本発明の遊技機管理システムは、遊技機に再使用される構成部品と、構成部品に設けられ、固有の識別番号を読み出し可能な識別番号出力手段と、識別番号出力手段の識別番号と、識別番号出力手段が設けられた構成部品の再使用の履歴を示す再使用履歴情報とを記録するデータセンタと、識別番号出力手段とデータセンタとにそれぞれ通信可能であると共に、操作者に構成部品の管理情報を報知する管理装置とを有しており、管理装置は、識別番号出力手段から識別番号を読み取り、該識別番号に対応した再使用履歴情報をデータセンタから取得して管理情報に含める再使用履歴情報取得手段と、データセンタに記憶された再使用履歴情報を、構成部品の再使用毎に更新する更新手段とを有する。
【００１３】
この構成によると、構成部品を再使用するときに、この構成部品に設けられた識別番号出力手段の識別番号を管理装置により読み出すと、この識別番号に対応する構成部品の再使用履歴情報が管理情報に含められる。そして、管理情報の再使用履歴情報が管理装置において操作者に報知されることによって、構成部品の再使用の頻度を確認することができる。これにより、次回の使用時に故障を起こす可能性が高い構成部品を排除しながら、再使用の構成部品を用いて遊技機を組み上げることができるため、遊技機を故障し難いものにすることができる場合がある。
【００１４】
また、本発明の遊技機管理システムは、データセンタおよび管理装置の少なくとも一方に備えられ、再使用履歴情報に基づいて構成部品の再使用が可能であるか否かを判定し、判定結果を管理情報に含める再使用判定手段を有する。
【００１５】
この構成によると、再使用履歴情報に基づいて構成部品の再使用の可能性が再使用判定手段により判定され、判定結果が管理情報に含められて報知されるため、次回の使用時に故障を起こす可能性が高い構成部品を確実に排除できる場合がある。
【発明を実施するための最良の形態】
【００１６】
以下、本発明の好適な実施の形態について図面を参照しつつ説明する。
【００１７】
（第１の実施形態）
まず、本発明に係る第１の実施の形態について説明する。本実施の形態に係る遊技機１は、例えば、パチンコ機やパチスロ機などであり、遊技機１を構成する構成部品１ｂ、例えば、電源やゲーム動作を制御する制御基板、メダルの払出装置などは、資源の有効利用や環境に対する配慮から再使用（リサイクル）されるようになっている。遊技機１は、後に詳述するが、再使用可能な構成部品１ｂと、構成部品１ｂに設けられ、その構成部品１ｂに関する情報を書換え可能に記憶するＩＣ（Integrated Circuit）タグ１ａ（情報記憶手段）とを有する複数の部品ユニット１０から構成されている。ＩＣタグ１ａには、部品ユニット１０の再使用履歴や識別情報などが記憶されている。まず、この遊技機１から情報を取得して遊技機１を管理する遊技機管理システムについて説明する。
【００１８】
かかる遊技機１は、図１に示すように、部品製造工場１０１、製品製造工場１０２及び各遊技場（以下、「ホール」という）１０３を流通する。そして、管理装置２が、遊技機１の各部品ユニット１０が有するＩＣタグ１ａの情報を読み取り、通信するデータセンタ３に読み取った情報を格納することで、部品ユニット１０の使用履歴や配送状況を管理する。管理装置２は、操作者の操作に従い、ＩＣタグ１ａの情報の読み取り、読み取った情報に基づいた所定の処理、ＩＣタグ１ａへの新たな情報の書込み、操作者への処理結果の報知等を行うハンディ型の装置である。また、データセンタ３は、管理装置２が読み取った情報等を格納する記憶装置であり、流通管理者がデータセンタ３にＰＣ（Personal Computer）などでネットワークを通じてアクセスすることで、部品ユニット１０の情報や、遊技機１の配送状況などを把握することができる。
【００１９】
部品製造工場１０１では、回収した遊技機１の部品ユニット１０が、再使用可能か否かを判断する。即ち、各ホール１０３から不要となって回収された遊技機１を解体し、各部品ユニット１０を取出す。そして、各部品ユニット１０が再使用可能か否かを判断をする。
【００２０】
ここで、再使用可否判断の方法について説明する。ＩＣタグ１ａには、部品ユニット１０の再使用回数（再使用履歴情報）、使用時間（再使用履歴情報）及び再使用限界情報が記憶されている。再使用回数は、部品ユニット１０のこれまでの再使用した回数であり、使用時間は、部品ユニット１０が製造されてからの累積時間である。また、再使用限界情報は、再使用回数の限界（上限）回数である再使用可能回数及び使用時間の限界（上限）時間である使用可能時間である。管理装置２により、ＩＣタグ１ａからこれら情報を読み取り、再使用回数が再使用可能回数及以上、又は使用時間が使用可能時間以上の場合、その部品ユニット１０を再使用不可能と判断する。尚、管理装置２は、再使用可否判断の結果を管理情報として、後述の表示部２６での操作者に報知するようになっている。
【００２１】
部品ユニット１０が、再使用不可能であれば、その部品ユニット１０は廃棄する。再使用可能であれば、管理装置２により、再使用する部品ユニット１０のＩＣタグ１ａに記録されている再使用履歴情報（再使用回数、使用時間）を更新し、出荷する。再使用可能か否かを判断をすることにより、再使用の頻度が高い構成部品を排除しながら、再使用の構成部品を用いて遊技機を組み上げることができ、遊技機１を故障し難いものにすることができる場合がある。
【００２２】
また、部品製造工場１０１では、再使用する構成部品１ｂ以外に必要な構成部品１ｂを新たに製造する。新たに製造した構成部品１ｂは、新たにＩＣタグ１ａが設けられる。そして、管理装置２により、ＩＣタグ１ａに構成部品１ｂに関する情報を書込み、出荷する。ここでＩＣタグ１ａに書込まれる情報は、ＩＣタグ１ａのタグ固有番号、構成部品１ｂの初回使用開始日、再使用限界情報などである。尚、タグ固有番号とは、ＩＣタグ１ａそれぞれに割当てられたＩＣタグ１ａを識別するための識別番号である。タグ固有番号は、後述の管理装置２の記憶部２８やデータセンタ３に部品ユニット１０の種類等の情報と対応して登録されており、管理装置２が読み取ったタグ固有番号を、記憶部２８やデータセンタ３に照合することで、そのＩＣタグ１ａを有する部品ユニット１０（構成部品１ｂ）の種類を特定することができる。
【００２３】
また、部品ユニット１０を出荷する際には、出荷登録する。出荷登録では、例えば、出荷する部品ユニット１０が有するＩＣタグ１ａのタグ固有番号を読み取り、データセンタ３に送信する。これにより、データセンタ３に、出荷する部品ユニット１０の種類を記録しておくことができる。出荷する際に、タグ固有番号を記録しておくことで、流通管理者が、タグ固有番号をデータセンタ３に照合すると、そのタグ固有番号のＩＣタグ１ａを有する部品ユニット１０が、部品製造工場１０１を出荷したことを把握することができる。従って、部品ユニット１０の流通状況を把握することができる場合がある。
【００２４】
製品製造工場１０２では、部品製造工場１０１から配送された部品ユニット１０を組み立てて、遊技機１を製造する。まず、上記したように、部品製造工場１０１から配送された部品ユニット１０を、管理装置２で入荷検品する。入荷検品では、タグ固有番号を読み取り、読み取ったタグ固有番号を部品製造工場１０１の出荷登録で読み取ったタグ固有番号と対比することで、部品製造工場１０１から出荷された部品ユニット１０が無事に配送されたかを判断することができる場合がある。
【００２５】
そして、入荷した部品ユニット１０を組み立てて、遊技機１を製造する。このとき、遊技機１に組み込まれた部品ユニット１０が有するＩＣタグ１ａのタグ固有番号を読み取り、データセンタ３に登録する。これにより、製造された遊技機１の機種に組み込まれた部品ユニット１０の種類を管理することで、遊技機１の管理がしやすくなる場合がある。その後、遊技機１の出荷検品をする。出荷検品では、部品製造工場１０１の出荷登録と同様に、ＩＣタグ１ａのタグ固有番号をデータセンタ３に送信したりする。このときに、ＩＣタグ１ａに、配送先の情報などを記憶するようにしても良い。この場合、例えば、流通業者がＩＣタグ１ａの配送先情報を読み取ることで、流通業者による誤配送を無くすことができる場合がある。
【００２６】
製品製造工場１０２から出荷した遊技機１は、流通業者等によって各ホールに配送される。そして、各ホールで不要となった遊技機１は、再び流通業者等によって回収され、部品製造工場１０１に配送される。部品製造工場１０１に配送された遊技機１は解体され、各部品ユニット１０は、再使用されたり、廃棄されたりする。
【００２７】
次に、遊技機１、管理装置２及びデータセンタ３についてさらに詳述する。遊技機１は、図２に示すように、再使用可能な構成部品１ｂと、その構成部品１ｂを管理するために構成部品１ｂに設けられたＩＣタグ１ａとを有する複数の部品ユニット１０から構成されている。再使用可能な構成部品１ｂは、上記したように、例えば、電源や制御基板、メダルの払出装置などである。また、ＩＣタグ１ａは、再使用可能な構成部品１ｂを管理するために、構成部品１ｂに関する情報を記憶するためのメモリチップであり、メモリ１１、ＣＰＵ（Central Processing Unit）１２、変復調回路１３、アンテナ１４及び電源制御回路１５を備えている。
【００２８】
メモリ１１は、部品ユニット１０の再使用履歴などを記憶する、後述の管理装置２からの書込命令により書込可能な記憶手段である。具体的には、メモリ１１は、図３に示すようなデータテーブルが格納されており、タグ固有番号、再使用限界情報、再使用回数、使用時間及び最終更新日を記憶している。タグ固有番号は、ＩＣタグ１ａを識別可能にする固有の番号である。図１の部品製造工場１０１において、新たに製造された構成部品１ｂには、新しいＩＣタグ１ａが設けられるが、このときに、新しいＩＣタグ１ａには新しいタグ固有番号が記憶され、そのタグ固有番号は管理装置２の記憶部２８やデータセンタ３に登録される。これにより、上記したように、ＩＣタグ１ａのタグ固有番号から部品ユニット１０の情報を取得することができる他、例えば、遊技者がより有利に遊技できるように第３者によって不正に部品ユニット１０が交換された場合、その部品ユニット１０の有するＩＣタグ１ａのタグ固有番号は登録されていないため、不正交換を摘出することができる場合がある。再使用回数及び使用時間は、上記したように、構成部品１ｂが再使用される毎に管理装置２から情報データが送信されることで更新される（図４（ａ）参照）。最終更新日は、再使用回数及び使用時間を更新した日付けである。
【００２９】
ＣＰＵ１２は、各種コマンドに従って演算処理を行う中央演算処理装置であり、管理装置２から送信された情報信号に従って、上述のメモリ１１の情報を、アンテナ１４を介して送信したり、受信した情報をメモリ１１に格納したりする。管理装置２が送信する情報信号は、図４（ａ）に示すようフォーマットで送信され、コマンド情報（ライトコマンド、リードコマンド）、再使用回数、使用時間及び日付を含んでいる。コマンド情報がライトコマンドの場合、ＣＰＵ１２は情報信号に含まれる再使用回数、使用時間及び日付をメモリ１１に書込む。また、コマンド情報がリードコマンドの場合、ＣＰＵ１２は、図４（ｂ）に示すフォーマットで、メモリ１１に記憶されているタグ固有番号、再使用限界情報、再使用回数、使用時間及び最終更新日を含む情報信号を管理装置２に送信する。
【００３０】
また、変復調回路１３は、アンテナ１４を介して後述の管理装置２とデータの送受信を行うために、各情報データを変調又は復調する。さらに、電源制御回路１５は、ＩＣタグ１ａが動作可能なように電力を供給する。尚、電源制御回路１５は、アンテナ１４側からの非接触電力伝送により動作する。これにより、電源制御回路１５は、電池を持たずに、半永久的に利用可能となる場合がある。
【００３１】
管理装置２は、部品ユニット１０のＩＣタグ１ａ及びデータセンタ３との間で通信し、ＩＣタグ１ａの情報データを読み取り、部品ユニット１０が再使用可能かを判断したり、ＩＣタグ１ａのタグ固有番号を読み取ることで部品ユニット１０の第３者による不正交換を摘出したり、新たな情報をＩＣタグ１ａに書込んだりするハンディ型の装置である。そして、管理装置２は、ＩＣタグ１ａと通信し、情報を送受信するためのアンテナ２１及び変復調回路２２、データセンタ３と通信し、情報を送受信するための通信部２５の他、ＣＰＵ２３、操作部２４、表示部２６、音声出力部２７及び記憶部２８を備えている。
【００３２】
ＣＰＵ２３は、部品ユニット１０が再使用可能か否かを判断したり、部品ユニット１０に設けられたＩＣタグ１ａが不正に交換されていないかを判断したりする演算処理装置である。具体的には、ＩＣタグ１ａから受信した、再使用回数が、再使用限界情報に含まれる再使用可能回数を越えたり、使用時間が、再使用限界情報に含まれる使用可能時間を越えたりしている場合には、そのＩＣタグ１ａを有している部品ユニット１０は、再使用不可能と判断する。また、ＩＣタグ１ａから受信したタグ固有番号が、後述の記憶部２８やデータセンタ３に登録されていない番号であった場合には、そのＩＣタグ１ａを有する部品ユニット１０は、不正交換されたと判断する。
【００３３】
操作部２４は、処理命令などを入力する操作キーである。処理命令には、部品ユニット１０の再使用可否を判断する処理、部品ユニット１０の出荷登録等を行う処理、データセンタ３から情報を取得して、記憶部２８の記憶内容を更新する処理などがある。表示部２６は、管理装置２の処理結果、例えば、部品ユニット１０が再使用可能であるなどの内容を表示するディスプレイである。音声出力部２７は、ＩＣタグ１ａが不正交換されていたり、ＩＣタグ１ａが故障であったりする場合等に、ブザーにより操作者に警告するスピーカである。音によって警告することで、操作者が異常などを気づき易い場合がある。
【００３４】
記憶部２８は、タグ固有番号や部品ユニット種類情報などを記憶するメモリである。タグ固有番号は、部品ユニット１０が製造されたときに登録された番号であり、部品ユニット種類情報は、タグ固有番号と対応付けられた部品ユニットの種類（例えば、電源など）に関する情報である。部品ユニット種類情報により、ＩＣタグ１ａから受信したタグ固有番号から、そのＩＣタグ１ａを有している部品ユニット１０の種類を特定できたり、部品ユニット１０の情報が取出せたりできるようになっている。尚、記憶部２８に記憶されている情報は、上述以外の情報であっても良い。また、記憶部２８の容量が小さく、十分な情報を記憶できない場合には、部品ユニット１０に処理する前に、データセンタ３から処理に必要な情報を受信するようにして、処理の度に記憶部２８の内容を書換えるようにしてもよい。さらに、記憶部２８を取替え可能なメモリカードとし、必要な情報が記憶されたメモリカードを処理の度に挿着するようにしても良い。
【００３５】
データセンタ３は、管理装置２と通信し、様々な情報を記録する記憶装置である。データセンタ３は、タグ固有番号や管理装置２が読み取ったＩＣタグ１ａの情報（再使用回数、使用時間など）、部品ユニット種類情報、その他、部品ユニット１０の配送履歴など様々な情報が記憶されている。そして、管理装置２からの要求により、要求された内容の情報を管理装置２に送信する。また、データセンタ３は、ＰＣなどネットワークを通じて通信可能となっており、流通管理者などが、部品ユニット１０の再使用状況や配送状況などを参照できるようになっている。尚、再使用される部品ユニット１０が再使用される毎に、ＩＣタグ１ａに記憶されている再使用履歴情報が更新されるようになっているが、データセンタ３に記憶されている再使用履歴情報も更新されるようになっている。これにより、データセンタ３の記憶内容は、常に、ＩＣタグ１ａの記憶内容と同様となり、ＩＣタグ１ａが故障しても、記録内容を保持しておくことができる場合がある。
【００３６】
次に、上記の遊技機１を管理する場合の、管理装置２及びＩＣタグ１ａの動作について、図５〜図８を参照しつつ説明する。
【００３７】
図５に示すように、初めに、操作者による処理命令が操作部２４から入力されたか否かを判定する（ステップ［以下、Ｓと表記する］１）。入力されていない場合（Ｓ１：ＮＯ）、処理命令が入力されるまで待機する。入力された場合（Ｓ１：ＹＥＳ）、入力内容が情報更新処理か否かを判定する（Ｓ２）。情報更新処理とは、データセンタ３から操作者が必要とする情報を受信して、管理装置の記憶部２８に記憶する処理である。入力内容が情報更新処理である場合（Ｓ２：ＹＥＳ）、データセンタから情報を取得し、記憶部２８に記憶し（Ｓ６）、Ｓ１に戻る。
【００３８】
入力内容が情報更新処理でない場合（Ｓ２：ＮＯ）、続いて、入力内容が再使用判断処理か否かを判定する（Ｓ３）。再使用判断処理とは、各ホールから不要となって回収された遊技機１が部品製造工場１０１において解体され、取出した部品ユニット１０を再使用可能か否かの判断を行う処理である。入力内容が再使用判断処理の場合（Ｓ３：ＹＥＳ）、再使用判断処理を実行する（Ｓ７）。
【００３９】
即ち図６に示す、再使用判断処理ルーチンを実行し、再使用可能かを判断したい部品ユニット１０が有するＩＣタグ１ａにリードコマンドを送信する（Ｓ１０１）。具体的には、図４（ａ）に示す、リードコマンドのコマンド情報を含む情報信号をＩＣタグ１ａに送信する。ＩＣタグ１ａは、管理装置２からのリードコマンドのコマンド情報を含む情報信号を受信すると、図４（ｂ）に示す情報信号を管理装置２に送信する。そして、管理装置２は、ＩＣタグ１ａから送信された情報信号を受信し（Ｓ１０２）、情報信号に含まれるタグ固有番号、再使用限界情報、再使用回数、使用時間及び最終更新日を抽出する（Ｓ１０３）。
【００４０】
次に、Ｓ１０３で抽出したＩＣタグ１ａのタグ固有番号が、記録部２８に存在するか否かを判定する（Ｓ１０４）。尚、記憶部２８には、Ｓ６で説明したように、予め必要な情報が記憶されている。タグ固有番号が記録部２８に存在しない場合（Ｓ１０４：ＮＯ）、ＩＣタグ１ａは不正ＩＣタグである内容を表示部２６に表示し、操作者に報知する（Ｓ１１１）。このとき、音声出力部２７から警告音を出すようにしてもよい。不正ＩＣタグとは、上述したように、遊技者がより有利に遊技できるように第３者によって不正交換された部品ユニット１０などが有するＩＣタグ１ａのことをいう。これにより、不正に交換された部品ユニット１０を再使用する可能性を無くすことができる場合がある。操作者に報知した後、本ルーチンを終了する。
【００４１】
タグ固有番号が存在する場合（Ｓ１０４：ＹＥＳ）、続いて、再使用限界情報が設定されているか否かを判定する（Ｓ１０５）。即ち、再使用限界回数及び使用限界時間が設定されているか否かを判定する。再使用限界情報が設定されていない場合（Ｓ１０５：ＮＯ）、再使用回数及び使用時間を表示部２６に表示し、操作者に報知し（Ｓ１１０）、本ルーチンを終了する。つまり、再使用限界情報が設定されていない場合、再使用可能かどうかを判断する基準値が設定されていないために、再使用可能かどうかを判断することができない。このため、再使用回数及び使用時間のみを操作者に報知し、操作者が判断する。
【００４２】
再使用限界情報が設定されている場合（Ｓ１０５：ＹＥＳ）、再使用回数が再使用限界回数を越えたか否かを判定する（Ｓ１０６）。再使用回数が再使用限界回数を越えた場合（Ｓ１０６：ＹＥＳ）、部品ユニット１０は再使用できないと判断し、再使用を禁止する内容を表示部２６に表示し、操作者に報知する（Ｓ１０９）。再使用回数が再使用限界回数を越えていない場合（Ｓ１０６：ＮＯ）、次に、使用時間が使用限界時間を越えたか否かを判定する（Ｓ１０７）。使用時間が使用限界時間を越えた場合（Ｓ１０７：ＹＥＳ）、部品ユニット１０は再使用できないと判断し、再使用を禁止する内容を表示部２６に表示し、操作者に報知する（Ｓ１０９）。使用時間が使用限界時間を越えていない場合（Ｓ１０７：ＮＯ）、部品ユニット１０は再使用可能と判断し、再使用を許可する内容を表示部２６に表示し、操作者に報知する（Ｓ１０８）。そして、本ルーチンを終了する。
【００４３】
図５のフローチャートに戻り、Ｓ３において、入力内容が再使用判断処理でない場合（Ｓ３：ＮＯ）、入力内容が再使用履歴情報更新処理か否かを判定する（Ｓ４）。再使用履歴情報更新処理とは、再使用する部品ユニット１０のＩＣタグ１ａの情報を更新する処理である。入力内容が再使用履歴情報更新処理である場合（Ｓ４：ＹＥＳ）、再使用履歴情報更新処理を実行する（Ｓ８）。
【００４４】
即ち、図７に示す再使用履歴情報更新処理ルーチンを実行する。尚、Ｓ２０１からＳ２０３に関しては、Ｓ１０１〜Ｓ１０３における説明を適用することができるため、説明は省略する。Ｓ２０４で、再使用回数のカウントアップをする。つまり、Ｓ２０３で抽出した再使用回数に「１」を加算する。そして、使用時間の算出を行う（Ｓ２０５）。具体的には、ＩＣタグ１ａの最終更新日から現在までの時間を算出し、Ｓ２０３で抽出した使用時間に加算することで算出することができる。続いて、ＩＣタグにライトコマンドを含む情報信号を送信する（Ｓ２０６）。送信する情報信号には、ライトコマンドのコマンド情報や、Ｓ２０４でカウントアップした再使用回数、Ｓ２０５で算出した使用時間及び現在の日付が含まれる。その後、本ルーチンを終了する。
【００４５】
図５のフローチャートに戻り、Ｓ４で、入力内容が再使用履歴情報更新処理でない場合（Ｓ４：ＮＯ）、入力内容が上記以外のその他の処理か否かを判定する（Ｓ５）。その他の処理とは、例えば、部品ユニット１０を出荷する際の出荷登録を行う処理などをいう。その他の処理の場合（Ｓ５：ＹＥＳ）、その他の処理を実行する（Ｓ９）。その他の処理でない場合（Ｓ５：ＮＯ）、Ｓ１に戻る。
【００４６】
次に、ＩＣタグ１ａの動作について説明する。図８に示すように、ＩＣタグ１ａは、先ず、管理装置２から情報信号を受信したか否かを判定する（Ｓ３０１）。情報信号を受信していない場合（Ｓ３０１：ＮＯ）、受信するまで待機する。情報信号を受信した場合（Ｓ３０１：ＹＥＳ）、次に、情報信号がリードコマンドのコマンド情報を含むか否かを判定する（Ｓ３０２）。リードコマンドを含む場合（Ｓ３０２：ＹＥＳ）、情報信号を送信する。かかる情報信号には、メモリ１１に記憶されているタグ固有番号、再使用履歴情報、再使用回数、使用時間及び最終更新日が含まれている。リードコマンドを含まない場合（Ｓ３０２：ＮＯ）、情報信号がライトコマンドのコマンド情報を含むか否かを判定する（Ｓ３０４）。ライトコマンドを含む場合（Ｓ３０４：ＹＥＳ）、管理装置２からの情報信号に含まれる更新情報（再使用回数、使用時間、日付）をメモリ１１に書込み、メモリ内容を更新する（Ｓ３０５）。ライトコマンドを含まない場合（Ｓ３０４：ＮＯ）、誤動作と判断し、Ｓ３０１に戻る。
【００４７】
以上のように、本実施形態の遊技機１は、再使用される構成部品１ｂと、構成部品１ｂに設けられ、該構成部品１ｂの再使用毎に更新される構成部品１ｂの再使用履歴情報を記録するＩＣタグ１ａ（情報記憶手段）とを有する。
【００４８】
この構成によると、構成部品１ｂを再使用するときに、この構成部品１ｂに設けられたＩＣタグ１ａの再使用履歴情報を読み出すことによって、構成部品１ｂの再使用の頻度を確認することができる。再使用の頻度が高い構成部品１ｂは、故障の発生確率が高いため、再使用の頻度が高い構成部品１ｂを排除しながら、再使用の構成部品１ｂを用いて遊技機１を組み上げることができる。これにより、遊技機１を故障し難いものにすることができる場合がある。
【００４９】
また、本実施の形態の再使用履歴情報は、再使用の回数および使用時間の少なくとも一方を含んでいる。これによると、構成部品１ｂの故障の発生確率と、再使用の回数や使用時間とが一般的に比例関係にあるため、これら再使用の回数や使用時間を確認することによって、構成部品１ｂの故障の起こり易さを容易に判断することができる場合がある。
【００５０】
さらに、本実施の形態のＩＣタグ１ａ（情報記憶手段）は、構成部品１ｂの再使用可能な限界を示す再使用限界情報を記録している。
【００５１】
この構成によると、構成部品１ｂの種類や製造ロット等により各構成部品の再使用可能な寿命が予測される場合、この再使用可能な寿命に対応した再使用限界情報をＩＣタグ１ａに記録しておくことによって、再使用するときに、ＩＣタグ１ａから再使用履歴情報と再使用限界情報とを読み出すだけで、再使用が可能な否かを正確に把握できる場合がある。
【００５２】
また、本発明を好適な実施の形態に基づいて説明したが、本発明はその趣旨を超えない範囲において変更が可能である。即ち、管理装置２は、ハンディ型の装置としているが、ゲート型の装置としてもよい。例えば、部品ユニット１０などを、ベルトコンベア等の搬送手段（図示せず）によって、ゲート型の管理装置２を潜らせるようにしてもよい。この場合、操作者が部品ユニット１０それぞれに管理装置２を近づける必要がなく、操作者の手間を省くことができる場合がある。また、部品ユニット１０の再使用可否判断の基準として、再使用回数や使用時間を用いているが、例えば、部品ユニット１０がホールにおいて電力が供給された時間等を記録し、それを基準として判断してもよい。
【００５３】
また、本実施の形態では、データセンタ３に情報を記憶しているが、データセンタ３に記憶しなくても良い。即ち、管理装置２の記憶部２８だけにＩＣタグ１ａから読み取った情報を記憶するようにしても良い。さらに、本実施の形態で説明した以外の情報などを管理して、遊技機１や部品ユニット１０を管理するようにしてもよい。
【００５４】
（第２の実施形態）
次に、本発明の第２の実施の形態について説明する。第１の実施の形態では、部品ユニット１０の再使用可否判断に用いる情報（再使用履歴情報など）を、部品ユニット１０のＩＣタグ１ａに記憶しているが、本実施の形態では、部品ユニット１０のＩＣタグ１ａに記憶していない点で、第１の実施の形態と相違している。以下、相違点について説明する。尚、第１の実施の形態と同一の部材には同一の符号を付してその説明を省略する。
【００５５】
本実施の形態の遊技機１は、第１の実施形態と同様、再使用可能な構成部品１ｂとＩＣタグ１ａ（識別番号出力手段）とを有する複数の部品ユニット１０から構成されている。そして、図９に示すように、ＩＣタグ１ａのメモリ１１には、タグ固有番号（識別番号）のみ記憶されている。ＩＣタグ１ａは、図１０（ｂ）に示すフォーマットで、管理装置２から送信された情報信号に従って、図１０（ａ）に示すフォーマットで、タグ固有番号を含む情報信号を管理装置２に送信する。管理装置２から送信される情報信号は、第１の実施の形態と同様のため説明は省略する。
【００５６】
また、管理装置２は、第１の実施の形態と異なり、記憶部を有しておらず、データセンタ３から各情報を取得し、処理を行う。即ち、管理装置２のＣＰＵ２３（再使用履歴情報取得手段、更新手段、再使用判定手段）は、ＩＣタグ１ａのタグ固有番号を読み取ると、データセンタ３からタグ固有番号に対応した再使用履歴情報などを取得し、部品ユニット１０の再使用可否判断をする。また、データセンタ３の再使用履歴情報などの記録内容を更新する。その他の機能、構成は、第１の実施の形態と同様のため、説明は省略する。
【００５７】
データセンタ３は、タグ固有番号に対応させて、再使用回数、使用時間や部品ユニット種類情報、その他、部品ユニット１０の配送履歴など様々な情報を記憶している。そして、タグ固有番号が、管理装置２から送信されると、それに対応する情報を送信する。また、管理装置２から送信されたタグ固有番号が存在しない場合、データセンタ３は、かかるタグ固有番号を有するＩＣタグ１ａは、不正タグである旨の信号を送信する。即ち、遊技者がより有利に遊技できるように第３者によって不正に部品ユニット１０が交換された場合、その部品ユニット１０の有するＩＣタグ１ａのタグ固有番号は存在しないため、不正交換を摘出することができる場合がある。尚、部品ユニット１０の再使用可否判断を、管理装置２で行っているが、データセンタ３で行うようにしてもよい。
【００５８】
以下、遊技機１を管理する場合の、管理装置２、ＩＣタグ１ａ及びデータセンタ３の動作について、図１１〜図１５を参照しつつ説明する。
【００５９】
管理装置２は、図１１に示すように、初めに、操作者による処理命令が操作部２４から入力されたか否かを判定する（Ｓ１）。入力されていない場合（Ｓ１：ＮＯ）、処理命令が入力されるまで待機する。入力された場合（Ｓ１：ＹＥＳ）、入力内容が再使用判断処理か否かを判定する（Ｓ２）。入力内容が再使用判断処理の場合（Ｓ２：ＹＥＳ）、再使用判断処理を実行する（Ｓ５）。
【００６０】
即ち図１２に示す、再使用判断処理ルーチンを実行し、再使用可能かを判断したい部品ユニット１０が有するＩＣタグ１ａにリードコマンドを送信する（Ｓ１０１）。ＩＣタグ１ａは、管理装置２からのリードコマンドを含む情報信号を受信すると、図１０（ａ）に示す情報信号を管理装置２に送信する。そして、管理装置２は、ＩＣタグ１ａから送信された情報信号を受信し（Ｓ１０２）、情報信号に含まれるタグ固有番号を抽出する（Ｓ１０３）。そして、データセンタ３にリードコマンドを送信する（Ｓ１０４）。このとき、送信する信号には、Ｓ１０３で取得したタグ固有番号を含んでおり、データセンタ３は、タグ固有番号に対応する情報を記憶していれば、情報信号を送信する。データセンタ３にタグ固有番号が記憶されていなければ、警告信号を送信する。
【００６１】
Ｓ１０５において、データセンタ３から情報信号を受信したか否かを判断する。情報信号を受信していない場合（Ｓ１０５：ＮＯ）、即ち、データセンタ３にはタグ固有番号が存在せず、データセンタ３から警告信号を受信した場合、不正タグである旨の内容を表示部２６に表示して、報知する（Ｓ１０６）。このとき、音声出力部２７から警告音を出すようにしてもよい。これにより、不正に交換された部品ユニット１０を再使用する可能性を無くすことができる場合がある。操作者に報知した後、本ルーチンを終了する。
【００６２】
情報信号を受信した場合（Ｓ１０５：ＹＥＳ）、情報信号に含まれるタグ固有番号、再使用履歴情報、再使用回数、使用時間、最終更新日を抽出する（Ｓ１０７）。続いて、再使用限界情報が設定されているか否かを判定する（Ｓ１０８）。即ち、再使用限界回数及び使用限界時間が設定されているか否かを判定する。再使用限界情報が設定されていない場合（Ｓ１０８：ＮＯ）、再使用回数及び使用時間を表示部２６に表示し、操作者に報知し（Ｓ１１３）、本ルーチンを終了する。つまり、再使用限界情報が設定されていない場合、再使用可能かどうかを判断する基準値が設定されていないために、再使用可能かどうかを判断することができない。このため、再使用回数及び使用時間のみを操作者に報知し、操作者が判断する。
【００６３】
再使用限界情報が設定されている場合（Ｓ１０８：ＹＥＳ）、再使用回数が再使用限界回数を越えたか否かを判定する（Ｓ１０９）。再使用回数が再使用限界回数を越えた場合（Ｓ１０９：ＹＥＳ）、部品ユニット１０は再使用できないと判断し、再使用を禁止する内容を表示部２６に表示し、操作者に報知する（Ｓ１１２）。再使用回数が再使用限界回数を越えていない場合（Ｓ１０９：ＮＯ）、次に、使用時間が使用限界時間を越えたか否かを判定する（Ｓ１１０）。使用時間が使用限界時間を越えた場合（Ｓ１１０：ＹＥＳ）、部品ユニット１０は再使用できないと判断し、再使用を禁止する内容を表示部２６に表示し、操作者に報知する（Ｓ１１２）。使用時間が使用限界時間を越えていない場合（Ｓ１１０：ＮＯ）、部品ユニット１０は再使用可能と判断し、再使用を許可する内容を表示部２６に表示し、操作者に報知する（Ｓ１１１）。そして、本ルーチンを終了する。
【００６４】
図１１のフローチャートに戻り、Ｓ２において、入力内容が再使用判断処理でない場合（Ｓ２：ＮＯ）、入力内容が再使用履歴情報更新処理か否かを判定する（Ｓ３）。再使用履歴情報更新処理とは、再使用する部品ユニット１０のＩＣタグ１ａの情報を更新する処理である。入力内容が再使用履歴情報更新処理である場合（Ｓ３：ＹＥＳ）、再使用履歴情報更新処理を実行する（Ｓ６）。
【００６５】
即ち、図１３に示す再使用履歴情報更新処理ルーチンを実行する。尚、Ｓ２０１からＳ２０４に関しては、Ｓ１０１〜Ｓ１０４における説明を適用することができるため、説明は省略する。データセンタ３から情報信号を受信し（Ｓ２０５）、情報信号に含まれるタグ固有番号、再使用履歴情報（再使用限界回数、使用限界時間）、再使用回数、使用時間、最終更新日を抽出する（Ｓ２０６）。そして、再使用回数のカウントアップをする（Ｓ２０７）。つまり、Ｓ２０６で抽出した再使用回数に「１」を加算する。そして、使用時間の算出を行う（Ｓ２０８）。具体的には、ＩＣタグ１ａの最終更新日から現在までの時間を算出し、Ｓ２０６で抽出した使用時間に加算することで算出することができる。続いて、ＩＣタグにライトコマンドを含む情報信号を送信する（Ｓ２０９）。送信する情報信号には、ライトコマンドのコマンド情報や、Ｓ２０７でカウントアップした再使用回数、Ｓ２０８で算出した使用時間及び現在の日付が含まれる。その後、本ルーチンを終了する。
【００６６】
図１１のフローチャートに戻り、Ｓ３で、入力内容が再使用履歴情報更新処理でない場合（Ｓ４：ＮＯ）、入力内容が上記以外のその他の処理か否かを判定する（Ｓ４）。その他の処理とは、例えば、部品ユニット１０を出荷する際の出荷登録を行う処理などをいう。その他の処理の場合（Ｓ４：ＹＥＳ）、その他の処理を実行する（Ｓ７）。その他の処理でない場合（Ｓ４：ＮＯ）、Ｓ１に戻る。
【００６７】
次に、ＩＣタグ１ａの動作について説明する。図８に示すように、ＩＣタグ１ａは、先ず、管理装置２から情報信号を受信したか否かを判定する（Ｓ３０１）。情報信号を受信していない場合（Ｓ３０１：ＮＯ）、受信するまで待機する。情報信号を受信した場合（Ｓ３０１：ＹＥＳ）、情報信号を送信する（Ｓ３０２）。かかる情報信号には、メモリ１１に記憶されているタグ固有番号が含まれている。そして、Ｓ３０１に戻る。
【００６８】
次に、データセンタ３の動作について説明する。先ず、管理装置２から情報信号を受信したか否かを判定する（Ｓ４０１）。情報信号を受信していない場合（Ｓ４０１：ＮＯ）、受信するまで待機する。情報信号を受信した場合（Ｓ４０１：ＹＥＳ）、情報信号に含まれるタグ固有番号がデータセンタ３に存在するか否かを判定する（Ｓ４０２）。タグ固有番号が存在しない場合（Ｓ４０２：ＮＯ）、不正ＩＣタグである旨の信号を管理装置２に送信する（Ｓ４０５）。タグ固有番号が存在する場合（Ｓ４０２：ＹＥＳ）、続いて、受信した情報信号がリードコマンドを含むか否かを判定する（Ｓ４０３）。即ち、情報信号のコマンド情報がリードコマンドであるか否かを判定する。リードコマンドを含む場合（Ｓ４０３：ＹＥＳ）、図１０（ｃ）に示す情報信号を管理装置２に送信する（Ｓ４０４）。この情報信号には、タグ固有番号、再使用限界情報、再使用回数、使用時間及び最終更新日を含んでいる。リードコマンドを含まない場合（Ｓ４０３：ＮＯ）、受信した情報信号がライトコマンドを含むか否かを判定する（Ｓ４０６）。ライトコマンドを含む場合（Ｓ４０６：ＹＥＳ）、受信した情報信号に含まれる更新情報（再使用回数、使用時間、日付）を記憶し（Ｓ４０７）、Ｓ４０１に戻る。ライトコマンドを含まない場合（Ｓ４０６：ＮＯ）、誤動作と判断し、Ｓ４０１に戻る。
【００６９】
以上、説明したように、本実施の形態は、遊技機１に再使用される構成部品１ｂと、構成部品１ｂに設けられ、固有のタグ固有番号（識別番号）を読み出し可能に有したＩＣタグ１ａ（識別番号出力手段）と、ＩＣタグ１ａのタグ固有番号と、ＩＣタグ１ａが設けられた構成部品１ｂの再使用の履歴を示す再使用履歴情報とを記録するデータセンタ３と、ＩＣタグ１ａとデータセンタ３とにそれぞれ通信可能であると共に、操作者に構成部品１ｂの管理情報を報知する管理装置２とを有しており、管理装置２は、ＩＣタグ１ａからタグ固有番号を読み取り、タグ固有番号に対応した再使用履歴情報をデータセンタ３から取得して管理情報２に含める再使用履歴情報取得手段（ＣＰＵ２３）と、データセンタ３に記憶された再使用履歴情報を、構成部品１ｂの再使用毎に更新する更新手段（ＣＰＵ２３）とを有する。
【００７０】
この構成によると、構成部品１ｂを再使用するときに、この構成部品１ｂに設けられたＩＣタグ１ａのタグ固有番号を管理装置２により読み出すと、このタグ固有番号に対応する構成部品１ｂの再使用履歴情報が管理情報に含められる。そして、管理情報の再使用履歴情報が管理装置において操作者に報知されることによって、構成部品１ｂの再使用の頻度を確認することができる。これにより、次回の使用時に故障を起こす可能性が高い構成部品１ｂを排除しながら、再使用の構成部品を用いて遊技機１を組み上げることができるため、遊技機１を故障し難いものにすることができる場合がある。
【００７１】
また、本実施の形態のデータセンタ３および管理装置２の少なくとも一方は、再使用履歴情報に基づいて構成部品１ｂの再使用が可能であるか否かを判定し、判定結果を管理情報に含める再使用判定手段（ＣＰＵ２３）を有する。
【００７２】
この構成によると、再使用履歴情報に基づいて構成部品の再使用の可能性が再使用判定手段により判定され、判定結果が管理情報に含められて報知されるため、次回の使用時に故障を起こす可能性が高い構成部品を確実に排除できる場合がある。
【００７３】
また、本発明を好適な実施の形態に基づいて説明したが、本発明はその趣旨を超えない範囲において変更が可能である。即ち、第１の実施の形態と同様に、管理装置２は、ハンディ型の装置としているが、ゲート型の装置としてもよい。また、部品ユニット１０の再使用可否判断の基準として、再使用回数や使用時間を用いているが、これに限定することはない。
【００７４】
本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００７５】
【図１】本発明の第１実施形態に係る遊技機の流通図。
【図２】第１実施形態に係る遊技機及び管理装置の機能ブロック図。
【図３】ＩＣタグ内のデータテーブルを表す図。
【図４】（ａ）管理装置から送信される情報信号のフォーマットを表す図。（ｂ）  ＩＣタグから送信される情報信号のフォーマットを表す図。
【図５】管理装置動作ルーチンのフローチャート。
【図６】再使用判断処理ルーチンのフローチャート。
【図７】再使用履歴情報更新処理ルーチンのフローチャート。
【図８】ＩＣタグ動作ルーチンのフローチャート。
【図９】第２実施形態に係る遊技機及び管理装置の機能ブロック図。
【図１０】（ａ）ＩＣタグから送信される情報信号のフォーマットを表す図。（ｂ）  管理装置から送信される情報信号のフォーマットを表す図。（ｃ）  データセンタから送信される情報信号のフォーマットを表す図。
【図１１】管理装置動作ルーチンのフローチャート。
【図１２】再使用判断処理ルーチンのフローチャート。
【図１３】再使用履歴情報更新処理ルーチンのフローチャート。
【図１４】ＩＣタグ動作ルーチンのフローチャート。
【図１５】データセンタ動作ルーチンのフローチャート。
【符号の説明】
【００７６】
１    遊技機
１ａ  ＩＣタグ
１ｂ  構成部品
２    管理装置
３    データセンタ
１０    部品ユニット
１１    メモリ
１２    ＣＰＵ
１３    変復調回路
１４    アンテナ
１５    電源制御回路
２３    ＣＰＵ
２６    表示部
２９    記憶部
１０１    部品製造工場
１０２    製品製造工場
１０３    ホール
【図１】
2006034759.tif 000003
【図２】
2006034759.tif 000004
【図３】
2006034759.tif 000005
【図４】
2006034759.tif 000006
【図５】
2006034759.tif 000007
【図６】
2006034759.tif 000008
【図７】
2006034759.tif 000009
【図８】
2006034759.tif 000010
【図９】
2006034759.tif 000011
【図１０】
2006034759.tif 000012
【図１１】
2006034759.tif 000013
【図１２】
2006034759.tif 000014
【図１３】
2006034759.tif 000015
【図１４】
2006034759.tif 000016
【図１５】
2006034759.tif 000017